(57)【要約】      （修正有）【課題】広画角、高変倍比であり、かつカメラの厚さが薄く、カメラ全体が小型なズームレンズを提供する。【解決手段】物体側より像側へ順に、像面に対して固定された正の屈折力の第１レンズ群Ｌ１と、負の屈折力の第２レンズ群Ｌ２とを有し、第２レンズ群の像側に配置された複数のレンズ群から構成される後続レンズ群ＬＲを有し、後続レンズ群ＬＲ内に負の屈折力のレンズ群Ｌｎを有し、第１レンズ群Ｌ１内に、光軸を折り曲げるための反射部材ＰＲが設けられ、反射部材ＰＲが屈折力をもったプリズムで構成され、以下の条件式を満足するズームレンズ。−０．６０＜ｆｎ／ｆＴ＜−０．２０、ｆｎ：前記レンズ群Ｌｎの焦点距離、ｆＴ：望遠端におけるズームレンズ全系の焦点距離【選択図】図１
2019179060.tif 000002
【特許請求の範囲】
【請求項１】
物体側より像側へ順に、像面に対して固定された正の屈折力の第１レンズ群と、負の屈折力の第２レンズ群とを有し、第２レンズ群の像側に配置された複数のレンズ群から構成される後続レンズ群ＬＲを有し、
前記後続レンズ群ＬＲ内に負の屈折力のレンズ群Ｌｎを有し、
前記第１レンズ群内に、光軸を折り曲げるための反射部材が設けられ、前記反射部材が屈折力をもったプリズムで構成され、以下の条件式を満足することを特徴とするズームレンズ。
−０．６０  ＜  ｆｎ／ｆＴ  ＜  −０．２０      （１）
ただし、
ｆｎ：前記レンズ群Ｌｎの焦点距離
ｆＴ：望遠端におけるズームレンズ全系の焦点距離
とする。
【請求項２】
前記レンズ群Ｌｎが以下の条件式を満足することを特徴とする請求項１に記載のズームレンズ。
０．３０  ＜  ｆ１／ｆＴ  ＜  ０．７０          （２）
ただし、
ｆ１：前記第１レンズ群の焦点距離
ｆＴ：望遠端における前記ズームレンズ全系の焦点距離
とする。
【請求項３】
前記レンズ群Ｌｎが以下の条件式を満足することを特徴とする請求項１又は請求項２に記載のズームレンズ。
１．１０  ＜  βｎＴ／βｎＷ  ＜  １．５０      （３）
ただし、
βｎＷ：広角端における前記レンズ群Ｌｎの無限遠合焦時の横倍率
βｎＴ：望遠端における前記レンズ群Ｌｎの無限遠合焦時の横倍率
とする。
【請求項４】
前記第１レンズ群に設けられた屈折力を持ったプリズムが以下の条件式を満足することを特徴とする請求項１乃至請求項３の何れか一項に記載のズームレンズ。
−５．５０  ＜  ｆＰ／ｆ１  ＜  −１．２０      （４）
ただし、
ｆＰ：前記プリズムの焦点距離
ｆ１：前記第１レンズ群の焦点距離
とする。
【請求項５】
前記レンズ群Ｌｎが前記後続レンズ群ＬＲ内の最も像側に配置されることを特徴とする請求項１乃至請求項４の何れか一項に記載のズームレンズ。
【請求項６】
前記プリズムが以下の条件式を満足することを特徴とする請求項１乃至請求項５の何れか一項に記載のズームレンズ。
１．９５  ＜  ｎｄ                    （５）
０．４０  ＜  ｄｐ／ｆ１  ＜  ０．７０          （６）
ただし、
ｎｄ：前記プリズムのｄ線屈折率
ｄｐ：前記プリズムの光軸上の厚み
とする。
【発明の詳細な説明】
【技術分野】
【０００１】
本発明は、デジタルスチルカメラ、デジタル一眼レフカメラ、デジタルビデオカメラ等に関し、特にデジタルカメラに好適なコンパクトで高変倍比を有するズームレンズおよびこれを用いた撮像装置に関する。
【背景技術】
【０００２】
近年、固体撮像素子を用いたデジタルスチルカメラ、ビデオカメラそして銀塩フィルムを用いた銀塩写真用カメラ等の撮像装置に用いられている撮像素子は高画素化が進んでいる。このような撮像素子を備える撮像装置で用いる光学系には、結像性能にすぐれた撮影用レンズ、特にズームレンズが求められている。また、小型化への要求も強く、小型で高性能なズームレンズが求められている。
【０００３】
しかし、広画角のズームレンズは前玉径が増大する傾向があり、また、高倍率のズームレンズは一般にレンズ長が長くなるためにカメラの厚みが増大し、携帯性が損なわれてしまう。高倍率のズームレンズとして物体側から順に正、負の屈折力を有するポジティブリードタイプが知られているが、高倍率化に伴ってレンズ全長が増大すること、広画角化に伴って前玉径が増大することが課題である。また、光路内に反射部材を挿入することで光学系を折り曲げることでカメラの奥行きを薄くすることが可能である。カメラの厚さは反射部材とそれより物体側のレンズ厚によって決まるので、カメラの薄型化を図るためにはより物体側に反射部材を挿入する必要がある。
【０００４】
このような反射部材を用いたレンズでは反射部材の物体側に負レンズを配置することが一般的である。
【０００５】
特許文献１、２には、正の屈折力を有する第１レンズ群に負の屈折力を持った反射部材を配置することでカメラの奥行き方向の薄型化を図っているズームレンズが開示されている。
【先行技術文献】
【特許文献】
【０００６】
【特許文献１】特開２００９−２６５５５３号公報
【特許文献２】特開２００５−０８４２８５号公報
【発明の概要】
【発明が解決しようとする課題】
【０００７】
しかしながら、特許文献１に記載の光学系では、正、負、正、正、正のズームタイプ中の第１レンズ群中に負の屈折力を持ったプリズムを配置し、カメラの奥行き方向の薄型化を図っている。しかし、第２レンズ群よりも像側のレンズ群が全て正の屈折力で構成されているため、第２レンズ群よりも像側の光路長が大きくなってしまう。また、負の屈折力のレンズ群が第２レンズ群だけなので、正の屈折力のレンズ群で発生する収差を打ち消して補正することが困難となる。
【０００８】
特許文献２では、正、負、正、正、負のズームタイプ中の第１レンズ群中に負の屈折力を持ったプリズムを配置し、カメラの奥行き方向の薄型化を図っているが、変倍比が２．８程度と小さく、第５レンズ群の屈折力が小さい。このままの屈折力配置で更なる高変倍比化を行おうとすると、第５レンズ群の移動量が増えてしまい、レンズの光路長が大きくなってしまう。
【０００９】
そこで、本発明の目的は、正の屈折力の第１レンズ群に光路を折り曲げる反射部材を有しているズームレンズにおいて広画角、高変倍比であり、かつ折り曲げ後のカメラの厚さが薄く、カメラ全体が小型なズームレンズを提供することにある。
【課題を解決するための手段】
【００１０】
上記の目的を達成するために、本発明に係るズームレンズは、
物体側より像側へ順に、像面に対して固定された正の屈折力の第１レンズ群と、負の屈折力の第２レンズ群とを有し、第２レンズ群の像側に配置された複数のレンズ群から構成される後続レンズ群ＬＲを有し、
前記後続レンズ群ＬＲ内に負の屈折力のレンズ群Ｌｎを有し、
前記第１レンズ群内に、光軸を折り曲げるための反射部材が設けられ、前記反射部材が屈折力をもったプリズムで構成され、以下の条件式を満足するズームレンズ。
【００１１】
−０．６０  ＜  ｆｎ／ｆＴ  ＜  −０．２０
ｆｎ：前記レンズ群Ｌｎの焦点距離
ｆＴ：望遠端におけるズームレンズ全系の焦点距離
【発明の効果】
【００１２】
本発明によれば、正の屈折力の第１レンズ群に光路を折り曲げる反射部材を有しているズームレンズにおいて広画角、高変倍比であり、かつ折り曲げ後のカメラの厚さが薄く、カメラ全体が小型なズームレンズを提供することができる。
【図面の簡単な説明】
【００１３】
【図１】数値実施例１の広角端での断面図
【図２】数値実施例１の各収差図、（ａ）広角端、（ｂ）望遠端
【図３】数値実施例２の広角端での断面図
【図４】数値実施例２の各収差図、（ａ）広角端、（ｂ）望遠端
【図５】数値実施例３の広角端での断面図
【図６】数値実施例３の各収差図、（ａ）広角端、（ｂ）望遠端
【図７】数値実施例４の広角端での断面図
【図８】数値実施例４の各収差図、（ａ）広角端、（ｂ）望遠端
【発明を実施するための形態】
【００１４】
以下に、本発明の好ましい実施の形態を、添付の図面に基づいて詳細に説明する。
【００１５】
図１、３、５、７は、本発明の実施形態にかかわる数値実施例１〜４の広角端での断面図である。図２、４、６、８は、本発明の実施形態にかかわる数値実施例１〜４の縦収差図であり、（ａ）広角端での無限遠合焦時、（ｂ）望遠端での無限遠合焦時のそれぞれの諸収差を示している。
【００１６】
各レンズ断面図において、左側が物体側、右側が像側である。ｉを物体側から数えたレンズ群の順番とすると、Ｌｉ（ｉ＝１，２，・・・）は、第ｉレンズ群を表す。ＬＲは第２レンズ群の像側に配置された後続レンズ群ＬＲを表し、レンズ群Ｌｎが後続レンズ群ＬＲ内に配置された負の屈折力を持ったレンズ群を表している。各レンズ群の下方に示した矢印は、ズーム移動軌跡を表している。ＰＲは反射部材であるプリズム、ＩＰは像面を表し、ズームレンズが、ビデオカメラやデジタルスチルカメラなどに用いられる場合、像面はＣＣＤセンサやＣＭＯＳセンサ等の固体撮像素子（光電変換素子）の撮像面に相当する。また、ズームレンズが銀塩フィルムカメラに用いられる場合、像面はフィルム面に相当する。
【００１７】
夫々の縦収差図において、ｄ、ｇは各々ｄ線及びｇ線、ΔＭ、ΔＳはメリジオナル像面、サジタル像面を表している。倍率色収差はｇ線であらわしている。Ｆｎｏは開口比（Ｆナンバー）、ωは半画角である。
【００１８】
本発明の実施例は、いずれも物体側から順に像面に対して固定された正の屈折力の第１レンズ群Ｌ１、負の屈折力の第２レンズ群Ｌ２、第２レンズ群よりも像側に配置された複数のレンズ群で構成される後続レンズ群ＬＲから構成されるズームレンズである。また第１レンズ群Ｌ１は光軸を折り曲げるための反射部材が設けられ、この反射部材が屈折力を持ったプリズムで構成され、後続レンズ群ＬＲは負の屈折力を持ったレンズ群Ｌｎ有する。
【００１９】
本願では反射部材であるプリズムに屈折力を持たせることで、反射部材の物体側に配置される負レンズの屈折力を分担し、前記負レンズの薄型化を図ることで折り曲げ後のカメラの薄型化に有利となる。
【００２０】
また、後続レンズ群に負の屈折力のレンズ群Ｌｎを配置することで後続レンズ群内の正の屈折力のレンズ群で発生する収差を打ち消して補正する役割を担っている。また好ましくは、レンズ群Ｌｎは後続レンズ群ＬＲの最も像側に配置することが望ましく、この構成によって後続レンズ群ＬＲ内の屈折力配置が望遠型となり、バックフォーカスを短縮し、レンズの光路長を短縮し、全系の小型化に有利となる。また、これによってレンズ群Ｌｎが軸外光束が光軸から高い位置に配置されることになるので、特に広角端において第１レンズ群で発生する倍率色収差などを補正するのに有利となる。
【００２１】
また、後続レンズ群ＬＲに配置される負の屈折力のレンズ群Ｌｎは以下の条件式を満たしている。
【００２２】
−０．６０  ＜  ｆｎ／ｆＴ  ＜  −０．２０    （１）
条件式（１）はレンズ群Ｌｎの焦点距離ｆｎと望遠端におけるズームレンズ全系の焦点距離ｆＴの比の数値範囲を規定している。
【００２３】
条件式（１）の上限を上回ると、レンズ群Ｌｎの屈折力が強くなりすぎてしまい、ズーム時の収差変動を適切に補正することが困難となるので、好ましくない。
【００２４】
条件式（１）の下限を下回ると、レンズ群Ｌｎの屈折力が弱すぎてしまい、ズーム移動量が増加し、ズーム駆動に必要な空間が増えてしまって好ましくない。
【００２５】
好ましくは、条件式（１）の数値範囲を以下のようにする方が良い。
【００２６】
−０．５０  ＜  ｆｎ／ｆＴ  ＜  −０．２５    （１ａ）
また、さらに好ましくは条件式（１ａ）の数値範囲を以下のようにする方が良い。
【００２７】
−０．４５  ＜  ｆｎ／ｆＴ  ＜  −０．３０    （１ｂ）
各実施例によれば以上のように構成することにより、本発明の目的は達成可能である。
【００２８】
各実施例において更に好ましくは、次の諸条件のうち１つ以上を満足することが良い。
【００２９】
０．３０  ＜  ｆ１／ｆＴ  ＜  ０．７０        （２）
１．１０  ＜  βｎＴ／βｎＷ  ＜  １．５０    （３）
−５．５０  ＜  ｆＰ／ｆ１  ＜  −１．２０    （４）
１．９５  ＜  ｎｄ                  （５）
０．４０  ＜  ｄｐ／ｆ１  ＜  ０．７０        （６）
ただし、
ｆ１：第１レンズ群の焦点距離
ｆＴ：望遠端のズームレンズ全系の焦点距離
βｎＷ：広角端におけるレンズ群Ｌｎの無限遠合焦時の横倍率
βｎＴ：望遠端におけるレンズ群Ｌｎの無限遠合焦時の横倍率
ｆＰ：プリズムの焦点距離
ｎｄ：プリズムのｄ線屈折率
ｄｐ：プリズムの光軸上の厚み
とする。
【００３０】
条件式（２）は第１レンズ群Ｌ１の焦点距離ｆ１と望遠端におけるズームレンズ全系の焦点距離ｆＴの比の数値範囲を規定している。条件式（２）の数値範囲を満足することで広画角化しつつ高変倍比化に有利となるために好ましい。
【００３１】
条件式（２）の上限を上回ると、１群の屈折力が弱くなり、広画角かつ高変倍比化が困難となるために好ましくない。
【００３２】
条件式（２）の下限を下回ると、１群の屈折力が強くなりすぎてしまい、１群中の正レンズの屈折力が強くなりすぎ、１群内で発生する軸上色収差と球面収差を補正することが困難となるために好ましくない。
【００３３】
好ましくは、条件式（２）の数値範囲を以下のようにする方が良い。
【００３４】
０．４０  ＜  ｆ１／ｆＴ  ＜  ０．６５        （２ａ）
また、さらに好ましくは条件式（２ａ）の数値範囲を以下のようにする方が良い。
【００３５】
０．４５  ＜  ｆ１／ｆＴ  ＜  ０．６０        （２ｂ）
条件式（３）はレンズ群Ｌｎの横倍率の広角端と望遠端の比について規定している。条件式（３）の数値範囲を満足することでレンズ群Ｌｎに適切な変倍分担を与えることができる。
【００３６】
条件式（３）の上限を上回るとレンズ群Ｌｎの変倍分担が強くなりすぎてしまい、レンズ群Ｌｎで発生する像面湾曲などの収差の補正が困難となるので好ましくない。
【００３７】
条件式（３）の下限を下回るとレンズ群Ｌｎの変倍分担が弱くなり、他のレンズ群で変倍分担を強くする必要があり、高変倍比化に不利となるので好ましくない。
【００３８】
好ましくは、条件式（３）の数値範囲を以下のようにする方が良い。
【００３９】
１．２０  ＜  βｎＴ／βｎＷ  ＜  １．４５      （３ａ）
また、さらに好ましくは条件式（３ａ）の数値範囲を以下のようにする方が良い。
【００４０】
１．３０  ＜  βｎＴ／βｎＷ  ＜  １．４０      （３ｂ）
条件式（４）は第１レンズ群に配置された屈折力を持ったプリズムの焦点距離と第１レンズ群の焦点距離の比の数値範囲を規定している。
【００４１】
条件式（４）の上限を上回ると第１レンズ群の屈折力に対して、負の屈折力のプリズムの屈折力が強くなりすぎてしまい、プリズムで発生する色収差を第１レンズ群内の正レンズで補正することが困難となるため好ましくない。
【００４２】
条件式（４）の下限を下回るとプリズムの負の屈折力が弱くなりすぎてしまい、プリズムよりも像側のレンズの有効径が大きくなってしまい、小型化に不利となるので好ましくない。
【００４３】
好ましくは、条件式（４）の数値範囲を以下のようにする方が良い。
【００４４】
−３．００  ＜  ｆＰ／ｆ１  ＜  −１．３０      （４ａ）
また、さらに好ましくは条件式（４ａ）の数値範囲を以下のようにする方が良い。
【００４５】
−２．００  ＜  ｆＰ／ｆ１  ＜  −１．４０      （４ｂ）
条件式（５）は第１レンズ群に配置された屈折力を持ったプリズムの屈折率の数値範囲を規定し、条件式（６）は前記プリズムの光軸上の厚みと第１レンズ群の焦点距離の比の数値範囲を規定している。
【００４６】
条件式（５）の下限を下回ると、プリズムの屈折率が小さくなり、プリズムに適切な屈折力を与えようとすると、プリズムの厚みが増えてしまい、薄型化が困難となるので好ましくない。
【００４７】
また、条件式（６）の上限を上回るとプリズムの厚みが大きくなり、薄型化が困難となり、好ましくない。
【００４８】
プリズムの厚さが小さくなり、条件式（６）の下限を下回るとプリズムの屈折力が強くなってしまい、プリズムで発生する軸上色収差が増加し、第１レンズ群内での補正が困難となるので好ましくない。
【００４９】
好ましくは、条件式（５）（６）の数値範囲を以下のようにする方が良い。
【００５０】
１．９７  ＜  ｎｄ                    （５ａ）
０．４５  ＜  ｄｐ／ｆ１  ＜  ０．６５          （６ａ）
また、さらに好ましくは条件式（６ａ）の数値範囲を以下のようにする方が良い。
【００５１】
２．００  ＜  ｎｄ                    （５ｂ）
０．５０  ＜  ｄｐ／ｆ１  ＜  ０．６０          （６ｂ）
この他、各実施例のレンズ構成について説明する。
【実施例１】
【００５２】
以下、図１を参照して、本発明の第１の実施例による、レンズ構成について説明する。
【００５３】
図１に示す実施例１は、物体側から順に、正の屈折力を有する第１レンズ群Ｌ１、負の屈折力を有する第２レンズ群Ｌ２、正の屈折力を有する第３レンズ群Ｌ３、正の屈折力を有する第４レンズ群Ｌ４と負の屈折力を有する第５レンズ群Ｌ５から構成される。実施例１では、レンズ群Ｌ３、Ｌ４、Ｌ５が後続レンズ群ＬＲであり、レンズ群Ｌ５がレンズ群Ｌｎとなる。
【００５４】
次に各レンズ群の構成について説明する。
【００５５】
以下、各レンズは物体側から像側へ順に配置されているものとする。第１レンズ群Ｌ１は、物体側に凹面を向けた負の屈折力を持った光軸を９０°折り曲げるためのプリズムＰＲ、両面に非球面を持つ両凸形状の正レンズで構成されている。第２レンズ群Ｌ２は物体側に非球面を持ち、像側に強い凹面を向けた負メニスカスレンズ、両凹形状の負レンズと両凸形状の正レンズの接合レンズで構成されている。第３レンズ群Ｌ３は物体側に非球面を持つ両凸形状の正レンズと物体側に強い凹面を向けた負メニスカスレンズの接合レンズで構成されている。第４レンズ群Ｌ４は物体側に非球面を持つ両凸形状の正レンズ、両凸形状の正レンズと物体側に凹面を向けた負メニスカスレンズの接合レンズで構成されている。第５レンズ群Ｌ５は物体側に凸面を向けた正レンズと像側に非球面の強い凹面を向けた負メニスカスレンズの接合レンズで構成されている。
【００５６】
また、広角端から望遠端への変倍に際し、第１レンズ群Ｌ１は固定されて動かず、第２レンズ群Ｌ２と第３レンズ群Ｌ３は像側へ移動し、第４レンズ群Ｌ４と第５レンズ群Ｌ５が物体側へ移動している。各レンズ群がこのようにズーム移動することで、ズーム駆動に必要な空間を抑えてレンズ全長を短くし、ズーム移動による収差変動を良好に補正することができる。特に第５レンズ群が物体側へ移動することによって、倍率色収差や像面湾曲のズームによる変動を補正している。
【００５７】
図２の各図は実施例１の無限遠合焦時の球面収差（ｍｍ）、非点収差（ｍｍ）、歪曲収差（％）、倍率色収差（ｍｍ）を示しており、（ａ）が広角端、（ｂ）が望遠端の状態を示しており、これらは、図４、６、８についても同様である。図２よりズーム全域において、特に像面湾曲と倍率色収差が良好に補正されていることが分かる。
【実施例２】
【００５８】
以下、図３を参照して、本発明の第２の実施例による、レンズ構成について説明する。
【００５９】
図３に示す実施例２は、物体側から順に、正の屈折力を有する第１レンズ群Ｌ１、負の屈折力を有する第２レンズ群Ｌ２、正の屈折力を有する第３レンズ群Ｌ３、正の屈折力を有する第４レンズ群Ｌ４と負の屈折力を有する第５レンズ群Ｌ５から構成される。実施例２では、レンズ群Ｌ３、Ｌ４、Ｌ５が後続レンズ群ＬＲであり、レンズ群Ｌ５がレンズ群Ｌｎとなる。
【００６０】
次に各レンズ群の構成について説明する。
【００６１】
以下、各レンズは物体側から像側へ順に配置されているものとする。第１レンズ群Ｌ１は、像側に凹面を向けた負メニスカスレンズ、物体側に凹面を向けた負の屈折力を持った光軸を９０°折り曲げるためのプリズムＰＲ、両面に非球面を持つ両凸形状の正レンズで構成されている。第２レンズ群Ｌ２は物体側に非球面を持ち、像側に強い凹面を向けた負メニスカスレンズ、両凹形状の負レンズと両凸形状の正レンズの接合レンズで構成されている。第３レンズ群Ｌ３は物体側に非球面を持つ両凸形状の正レンズと物体側に強い凹面を向けた負メニスカスレンズの接合レンズで構成されている。第４レンズ群Ｌ４は物体側に非球面を持つ両凸形状の正レンズ、両凸形状の正レンズと物体側に凹面を向けた負メニスカスレンズの接合レンズで構成されている。第５レンズ群Ｌ５は物体側に凸面を向けた正レンズと像側に非球面の強い凹面を向けた負メニスカスレンズの接合レンズで構成されている。
【００６２】
また、広角端から望遠端への変倍に際し、第１レンズ群Ｌ１は固定されて動かず、第２レンズ群Ｌ２と第３レンズ群Ｌ３は像側へ移動し、第４レンズ群Ｌ４と第５レンズ群Ｌ５が物体側へ移動している。各レンズ群がこのようにズーム移動することで、ズーム駆動に必要な空間を抑えてレンズ全長を短くし、ズーム移動による収差変動を良好に補正することができる。特に第５レンズ群が物体側へ移動することによって、倍率色収差や像面湾曲のズームによる変動を補正している。
【００６３】
図４に実施例２の各収差性能を示しており、ズーム全域において良好な収差性能であることを示しており、特に像面湾曲と倍率色収差がズーム全域において良好に補正されていることが分かる。
【実施例３】
【００６４】
以下、図５を参照して、本発明の第３の実施例による、レンズ構成について説明する。
【００６５】
図５に示す実施例３は、物体側から順に、正の屈折力の第１レンズ群Ｌ１、負の屈折力の第２レンズ群Ｌ２、正の屈折力の第３レンズ群Ｌ３、正の屈折力の第４レンズ群Ｌ４と負の屈折力の第５レンズ群Ｌ５、正の屈折力の第６レンズ群Ｌ６から構成される。実施例３では、レンズ群Ｌ３、Ｌ４、Ｌ５が後続レンズ群ＬＲであり、レンズ群Ｌ５がレンズ群Ｌｎとなる。
【００６６】
次に各レンズ群の構成について説明する。以下、各レンズは物体側から像側へ順に配置されているものとする。第１レンズ群Ｌ１は、物体側に凹面を向けた負の屈折力を持った光軸を９０°折り曲げるためのプリズムＰＲ、両面に非球面を持つ両凸形状の正レンズで構成されている。第２レンズ群Ｌ２は物体側に非球面を持ち、像側に強い凹面を向けた負メニスカスレンズ、両凹形状の負レンズと両凸形状の正レンズの接合レンズで構成されている。第３レンズ群Ｌ３は物体側に非球面を持つ両凸形状の正レンズと物体側に強い凹面を向けた負メニスカスレンズの接合レンズで構成されている。第４レンズ群Ｌ４は物体側に非球面を持つ両凸形状の正レンズ、両凸形状の正レンズと物体側に凹面を向けた負メニスカスレンズの接合レンズで構成されている。第５レンズ群Ｌ５は像側に凸面を向けた正メニスカスレンズと物体側に凹面を向けた負メニスカスレンズの接合レンズで構成されている。第６レンズ群Ｌ６は物体側に非球面を持ち、物体側に凸面を向けた正レンズで構成されている。
【００６７】
また、広角端から望遠端への変倍に際し、第１レンズ群Ｌ１と第６レンズ群Ｌ６は固定されて動かず、第２レンズ群Ｌ２と第３レンズ群Ｌ３は像側へ移動し、第４レンズ群Ｌ４と第５レンズ群Ｌ５が物体側へ移動している。各レンズ群がこのようにズーム移動することで、ズーム駆動に必要な空間を抑えてレンズ全長を短くし、ズーム移動による収差変動を良好に補正することができる。特に第５レンズ群が物体側へ移動することによって、倍率色収差や像面湾曲のズームによる変動を補正している。
【００６８】
図６に実施例３の各収差性能を示しており、ズーム全域において良好な収差性能であることを示しており、特に像面湾曲と倍率色収差がズーム全域において良好に補正されていることが分かる。
【実施例４】
【００６９】
以下、図７を参照して、本発明の第４の実施例による、レンズ構成について説明する。
【００７０】
図７に示す実施例４は、物体側から順に、正の屈折力の第１レンズ群Ｌ１、負の屈折力の第２レンズ群Ｌ２、正の屈折力の第３レンズ群Ｌ３、正の屈折力の第４レンズ群Ｌ４と負の屈折力の第５レンズ群Ｌ５から構成される。実施例４では、レンズ群Ｌ３、Ｌ４、Ｌ５が後続レンズ群ＬＲであり、レンズ群Ｌ５がレンズ群Ｌｎとなる。
【００７１】
次に各レンズ群の構成について説明する。
【００７２】
以下、各レンズは物体側から像側へ順に配置されているものとする。第１レンズ群Ｌ１は、物体側に凹面を向けた負の屈折力を持った光軸を９０°折り曲げるためのプリズムＰＲ、両面に非球面を持つ両凸形状の正レンズで構成されている。第２レンズ群Ｌ２は物体側に非球面を持ち、像側に強い凹面を向けた負メニスカスレンズ、両凹形状の負レンズと両凸形状の正レンズの接合レンズで構成されている。第３レンズ群Ｌ３は物体側に非球面を持つ両凸形状の正レンズと物体側に強い凹面を向けた負メニスカスレンズの接合レンズで構成されている。第４レンズ群Ｌ４は物体側に非球面を持つ両凸形状の正レンズ、両凸形状の正レンズと物体側に凹面を向けた負メニスカスレンズの接合レンズで構成されている。第５レンズ群Ｌ５は像側に凸面を向けた正メニスカスレンズと物体側に凹面を向けた負メニスカスレンズの接合レンズで構成されている。
【００７３】
また、広角端から望遠端への変倍に際し、第１レンズ群Ｌ１と第６レンズ群Ｌ６は固定されて動かず、第２レンズ群Ｌ２と第３レンズ群Ｌ３は像側へ移動し、第４レンズ群Ｌ４と第５レンズ群Ｌ５が物体側へ移動している。各レンズ群がこのようにズーム移動することで、ズーム駆動に必要な空間を抑えてレンズ全長を短くし、ズーム移動による収差変動を良好に補正することができる。特に第５レンズ群が物体側へ移動することによって、倍率色収差や像面湾曲のズームによる変動を補正している。
【００７４】
図８に実施例４の各収差性能を示しており、ズーム全域において良好な収差性能であることを示しており、特に像面湾曲と倍率色収差がズーム全域において良好に補正されていることが分かる。
【００７５】
以上、本発明の望ましい実施携帯について説明したが、本発明はこれらの実施形態に限定されず、その要旨の範囲内で種々の変形及び変更が可能である。特にフォーカシングに関しては、第５レンズ群を光軸上で移動させることで行っても良いし、レンズ群ＬＲを構成するレンズ群または、その一部を光軸上移動することで行っても良い。
【００７６】
次に本発明の数値実施例を示す。
【００７７】
数値実施例において、ｒｉは物体側より順に第ｉ番目のレンズ面の曲率半径、ｄｉは第ｉ番目のレンズ厚または空気間隔、ｎｄｉとνｄｉは第ｉ番目のレンズの材質のｄ線の屈折率とアッベ数である。
【００７８】
表１には本発明の上述した条件式と数値実施例の関係を示す。
（数値実施例１）
【００７９】
単位 mm
面データ
面番号       r        d      nd         vd
1        -19.877    6.00   2.10205    16.8           
2          ∞       0.10                             
3*         9.698    1.37   1.80400    46.6           
4*       -16.433  (可変)                             
5*       177.699    0.30   1.85135    40.1           
6*         4.110    0.66                             
7         -5.367    0.30   1.83481    42.7           
8          5.001    0.94   1.92286    18.9           
9        -16.137  (可変)                             
10*         5.600    0.99   1.49710    81.6           
11         -4.898    0.30   1.91082    35.3           
12        -16.778  (可変)                             
13*        11.381    2.23   1.55332    71.7           
14         -6.781    0.10                             
15         19.500    2.74   1.53775    74.7           
16         -6.889    0.29   2.00069    25.5           
17        -10.215  (可変)                             
18          7.139    0.89   1.69895    30.1           
19         14.551    0.30   1.90270    31.0           
20*         3.617  (可変)                             
像面        ∞   
非球面データ
第3面
K = 0.00000e+000  A 4=-1.03137e-004  A 6= 1.42851e-006  A 8= 1.22359e-008  
第4面
K = 0.00000e+000  A 4= 3.14783e-004  
第5面
K = 0.00000e+000  A 4= 5.04769e-003  
第6面
K = 0.00000e+000  A 4= 4.91166e-003  A 6= 1.13540e-004  A 8= 2.64983e-004  
第10面
K = 0.00000e+000  A 4=-1.28945e-003  A 6= 5.22529e-005  
第13面
K = 0.00000e+000  A 4=-1.72826e-003  A 6= 1.95311e-005  A 8=-3.66710e-007  
第20面
K = 0.00000e+000  A 4= 3.33549e-004  A 6= 3.08899e-005  A 8=-8.97295e-006  
各種データ
ズーム比      4.73 
広角     中間     望遠
焦点距離       4.08     8.87    19.30  
Fナンバー      3.38     4.57     5.96  
画角          33.50    18.68     8.84  
像高           2.70     3.00     3.00  
レンズ全長    32.23    32.23    32.23  
BF             4.53     6.86     9.14  
d 4            0.30     2.72     5.08  
d 9            3.08     1.45     0.30  
d12            5.60     2.80     0.10  
d17            1.21     0.89     0.10  
d20            4.53     6.86     9.14  
ズームレンズ群データ
群  始面    焦点距離  
1    1      10.37  
2    5      -3.58  
3   10      16.59  
4   13       5.94  
5   18      -8.25  
（数値実施例２）
【００８０】
単位 mm
面データ
面番号       r        d      nd         vd
1         11.922    0.27   2.00272    19.3           
2          7.295    0.74                             
3        -53.991    5.00   2.10205    16.8           
4          ∞       0.15                             
5*         7.806    1.30   1.80400    46.6           
6*       -18.037  (可変)                             
7*      -165.487    0.30   1.85135    40.1           
8*         4.263    0.43                             
9         -5.055    0.30   1.83481    42.7           
10          5.927    0.66   1.92286    18.9           
11        -12.453  (可変)                             
12*         5.447    1.00   1.49710    81.6           
13         -4.712    0.30   1.91082    35.3           
14        -16.201  (可変)                             
15*        11.169    1.62   1.55332    71.7           
16         -7.055    0.58                             
17         18.216    2.17   1.53775    74.7           
18         -7.276    0.29   2.00069    25.5           
19        -10.082  (可変)                             
20          7.164    0.72   1.69895    30.1           
21         10.435    0.30   1.90270    31.0           
22*         3.494  (可変)                             
像面        ∞   
非球面データ
第5面
K = 0.00000e+000  A 4=-2.95274e-004  A 6=-2.30722e-007  A 8=-1.63628e-007  
第6面
K = 0.00000e+000  A 4= 1.00869e-004  
第7面
K = 0.00000e+000  A 4= 5.04769e-003  
第8面
K = 0.00000e+000  A 4= 4.91166e-003  A 6= 1.13540e-004  A 8= 2.64983e-004  
第12面
K = 0.00000e+000  A 4=-1.28945e-003  A 6= 5.22529e-005  
第15面
K = 0.00000e+000  A 4=-1.72826e-003  A 6= 1.95311e-005  A 8=-3.66710e-007  
第22面
K = 0.00000e+000  A 4= 3.33549e-004  A 6= 3.08899e-005  A 8=-8.97295e-006  
各種データ
ズーム比      4.26 
広角     中間     望遠
焦点距離       4.49     9.26    19.10 
Fナンバー      3.60     4.85     6.97 
画角          31.03    16.26     8.05 
像高           2.70     2.70     2.70 
レンズ全長    30.87    30.87    30.87 
BF             5.37     7.63     9.74 
d 6            0.10     2.25     4.27 
d11            2.88     1.41     0.10 
d14            5.29     2.54     0.10 
d19            1.11     0.91     0.54 
d22            5.37     7.63     9.74 
ズームレンズ群データ
群  始面    焦点距離  
1    1       9.60  
2    7      -3.66  
3   12      16.26  
4   15       5.82  
5   20      -7.90  
（数値実施例３）
【００８１】
単位 mm
面データ
面番号       r        d      nd         vd
1        -19.761    6.00   2.10205    16.8           
2          ∞       0.10                             
3*         9.017    0.92   1.80400    46.6           
4*       -18.903  (可変)                             
5*        -9.552    0.30   1.85135    40.1           
6*         4.458    0.98                             
7        -13.566    0.30   1.83481    42.7           
8          8.100    1.11   1.92286    18.9           
9        -16.426  (可変)                             
10*         5.107    1.28   1.49710    81.6           
11        -10.974    0.30   1.91082    35.3           
12       -503.832  (可変)                             
13*        13.086    2.41   1.55332    71.7           
14         -9.069    0.76                             
15         16.534    2.52   1.53775    74.7           
16         -6.573    0.29   2.00069    25.5           
17        -12.000  (可変)                             
18         -6.465    0.50   1.58144    40.8           
19         -6.132    0.30   1.91082    35.3           
20         38.495  (可変)                             
21*         6.946    0.98   1.58313    59.4           
22        151.618  (可変)                             
像面        ∞   
非球面データ
第3面
K = 0.00000e+000  A 4=-2.95274e-004  A 6=-2.30722e-007  A 8=-1.63628e-007  
第4面
K = 0.00000e+000  A 4= 1.00869e-004  
第5面
K = 0.00000e+000  A 4= 2.17837e-003  
第6面
K = 0.00000e+000  A 4=-1.41815e-003  A 6= 2.74392e-004  A 8=-2.93736e-005  
第10面
K = 0.00000e+000  A 4=-1.65560e-003  A 6= 5.17822e-006  
第13面
K = 0.00000e+000  A 4=-6.92983e-004  A 6= 2.31615e-005  A 8=-1.30973e-006  
第21面
K = 0.00000e+000  A 4=-9.57010e-006  A 6= 4.25617e-005  A 8=-3.61557e-006  
各種データ
ズーム比      4.26 
広角     中間     望遠
焦点距離       4.49     9.26    19.10  
Fナンバー      3.07     3.89     5.41  
画角          31.03    17.95     8.93  
像高           2.70     3.00     3.00  
レンズ全長    33.57    33.57    33.57  
BF             1.65     1.65     1.65  
d 4            0.58     2.65     4.92  
d 9            4.22     1.65     0.07  
d12            4.03     2.38     0.37  
d17            3.51     3.99     3.45  
d20            0.54     2.22     4.07  
d22            1.65     1.65     1.65  
ズームレンズ群データ
群  始面    焦点距離  
1    1      10.35  
2    5      -3.84  
3   10      15.52  
4   13       7.42  
5   18      -5.88  
6   21      12.45  
（数値実施例４）
【００８２】
単位 mm
面データ
面番号       r        d      nd         vd
1        -19.302    6.00   2.01700    20.8           
2          ∞       0.10                             
3*         9.321    0.88   1.73400    51.5           
4*       -16.567  (可変)                             
5*        43.746    0.30   1.85135    40.1           
6*         4.007    1.27                             
7         -5.818    0.30   1.83481    42.7           
8          7.401    0.43   1.92286    18.9           
9        -13.476  (可変)                             
10*         5.066    0.60   1.49710    81.6           
11         -4.961    0.30   1.91082    35.3           
12        -16.274  (可変)                             
13*        11.711    1.82   1.55332    71.7           
14         -7.309    0.19                             
15         22.828    1.58   1.53775    74.7           
16         -6.422    0.29   2.00069    25.5           
17         -9.683  (可変)                             
18          6.716    0.85   1.69895    30.1           
19          6.891    0.30   1.90270    31.0           
20*         3.319  (可変)                             
像面        ∞   
非球面データ
第3面
K = 0.00000e+000  A 4=-1.03137e-004  A 6= 1.42851e-006  A 8= 1.22359e-008  
第4面
K = 0.00000e+000  A 4= 3.14783e-004  
第5面
K = 0.00000e+000  A 4= 5.04769e-003  
第6面
K = 0.00000e+000  A 4= 4.91166e-003  A 6= 1.13540e-004  A 8= 2.64983e-004  
第10面
K = 0.00000e+000  A 4=-1.28945e-003  A 6= 5.22529e-005  
第13面
K = 0.00000e+000  A 4=-1.72826e-003  A 6= 1.95311e-005  A 8=-3.66710e-007  
第20面
K = 0.00000e+000  A 4= 3.33549e-004  A 6= 3.08899e-005  A 8=-8.97295e-006  
各種データ
ズーム比      4.00 
広角     中間     望遠
焦点距離       4.49     8.98    17.95  
Fナンバー      3.56     4.67     6.34  
画角          31.03    18.48     9.49  
像高           2.70     3.00     3.00  
レンズ全長    29.82    29.82    29.82  
BF             4.03     6.32     8.64  
d 4            0.42     2.73     5.08  
d 9            2.67     1.13     0.02  
d12            5.49     2.91     0.20  
d17            2.00     1.52     0.68  
d20            4.03     6.32     8.64  
ズームレンズ群データ
群  始面    焦点距離  
1    1      11.18  
2    5      -3.84  
3   10      13.96  
4   13       6.11  
5   18      -8.33  
【００８３】
【表１】
2019179060.tif 000003
【符号の説明】
【００８４】
Ｌ１  第１レンズ群、Ｌ２  第２レンズ群、Ｌ３  第３レンズ群、
Ｌ４  第４レンズ群、Ｌ５  第５レンズ群、Ｌ６  第６レンズ群、
ＬＲ  後続レンズ群ＬＲ、
Ｌｎ  後続レンズ群ＬＲ内に配置される負の屈折力のレンズ群、
ＩＰ  結像面、ＰＲ  プリズム、ｄ  ｄ線、ｇ  ｇ線、ΔＳ  サジタル像面、
ΔＭ  メリディオナル像面、Ｆｎｏ  Ｆナンバー、ω  半画角
【図１】
2019179060.tif 000004
【図２】
2019179060.tif 000005
【図３】
2019179060.tif 000006
【図４】
2019179060.tif 000007
【図５】
2019179060.tif 000008
【図６】
2019179060.tif 000009
【図７】
2019179060.tif 000010
【図８】
2019179060.tif 000011